(57)【特許請求の範囲】
【請求項１】
遊技台に関する遊技情報を含む所定の情報を提供可能な遊技場の情報提供システムであって、
表示画面を有し、該表示画面に表示された所定の情報の表示内容を、操作に応じて変更可能なタッチパネルと、
前記表示画面を複数の区画領域に区画表示するとともに、前記表示画面の全体に前記所定の情報を表示した表示態様と、前記区画領域毎に前記所定の情報を表示した表示態様とに切り替えて表示する表示制御手段と、
情報提供を受ける利用者を前記各区画領域単位で検知可能な利用者検知手段と、を備え、
前記表示制御手段が、
前記利用者検知手段の検知に基づいて、検知した利用者に対応する区画領域に、前記所定の情報を表示させる区画領域制御手段と、
前記遊技台の設置レイアウトを示す遊技台設置情報を表示するとともに、表示された遊技台設置情報から、前記タッチパネルの操作により特定の遊技台を選択する遊技台選択手段と、を備え、
前記区画領域制御手段が、
前記遊技台選択手段により特定の遊技台が選択されると、前記遊技台の設置レイアウトを示す遊技台設置情報と、選択された前記特定の遊技台に対応する遊技情報とを、前記区画領域内の異なる子領域に表示させるとともに、
前記遊技台選択手段により複数の遊技台が選択されると、前記遊技台の設置レイアウトを示す遊技台設置情報を表示させつつ、選択された複数の遊技台に対応する複数の遊技台情報を、前記区画領域内の異なる子領域に表示させることを特徴とする情報提供システム。
【請求項２】
前記遊技場の各遊技台を撮像する遊技台撮像手段と、
前記遊技台撮像手段の被撮像位置を、前記タッチパネルの操作に基づいて制御する撮像位置制御手段と、
前記遊技台毎に設けられた、前記遊技台撮像手段により撮像された画像の前記タッチパネルへの表示の許可及び不許可を選択可能な撮像動作選択スイッチと、を備え、
前記区画領域制御手段が、前記遊技情報として撮像された遊技台の画像を前記区画領域に表示させる請求項１記載の情報提供システム。
【請求項３】
前記遊技場の各遊技台を撮像する遊技台撮像手段と、
前記遊技台撮像手段の被撮像位置を、前記タッチパネルの操作に基づいて制御する撮像位置制御手段と、
前記遊技台撮像手段が撮像した遊技台の画像内において、該遊技台の遊技者を除外する人物除外手段と、を備え、
前記区画領域制御手段が、前記遊技情報として撮像された遊技台の画像を前記区画領域に表示させる請求項１又は２記載の情報提供システム。
【請求項４】
前記タッチパネルが、視差バリアと、視差バリアの背面側に位置する画素パネルとを備え、当該タッチパネルの所定方向からの視認に対して、前記視差バリアが前記画素パネルを視認不能に遮断し、前記タッチパネルを異なる位置から視認する利用者に対して異なる表示画像を視認可能とさせる請求項１乃至３のいずれか一項記載の情報提供システム。
【発明の詳細な説明】
【技術分野】
【０００１】
本発明は、スロットマシンやパチンコ機などの遊技台が設置される遊技場の遊技客に、所定の情報を提供する遊技場の情報提供システムに関し、特に、例えば、所定の情報として、スタート回数や大当たりの回数などの遊技データを含む遊技情報などの提供を行なう遊技場の情報提供システムに関する。
【背景技術】
【０００２】
一般に、遊技場において、遊技場の場内に設置され、所定の情報を表示可能な表示部を備える情報提供システムがある。
所定の情報としては、例えば、遊技場内に設置されたスロットマシンやパチンコ機などの各遊技台に関するスタート回数や大当たり回数等を含む遊技データなどがある。
表示部は、例えば、遊技台毎に設けられた、いわゆる台ランプなどといわれる表示器や、他の情報も表示可能な表示パネルなどにより構成されている。
この表示部は、表示した遊技データが視認されることにより、これから遊技しようとする遊技台の選択を補助する。
【０００３】
この種の遊技場の情報提供システムに関連する技術としては、例えば、特許文献１記載のものが提案されている。
この特許文献１記載の情報表示システム（情報提供システム）は、遊技場内に、島と呼ばれるグループ毎に設置される複数の遊技台と、島毎に設置される島コントローラを介して遊技台に接続される遊技場管理装置と、遊技台の運用に関する各種情報を表示部に表示する処理を行なう情報表示制御装置とを備えている。
【０００４】
遊技場管理装置は、島コントローラから送られてくるホール内の全遊技台からの動作信号を受信し、各遊技台に識別情報を付加して情報表示制御装置に送信する。
情報表示制御端末は、遊技場管理装置から送出される各遊技台の複数項目の動作信号を順次受信して一時的に記憶するとともに、この記憶された動作信号を基に各遊技台に複数の項目から成る遊技データを集計して逐次更新するデータ集計機能を有する。
【０００５】
表示部は、例えば、遊技場の壁面などに設置されており、遊技場内の遊技客が誰でも使用可能な端末として設置されている。
また、表示部は、いわゆるタッチパネルで構成されており、情報を表示する機能及びタッチにより所定の情報を入力するタッチ入力機能を有している。
この表示部は、情報提供を受けようとする利用者の操作に応じて情報表示制御装置が、例えば、遊技台の設置レイアウト、遊技データなどの遊技台固有の遊技情報などを表示させられる。
【０００６】
【特許文献１】特開２００６−２１２２８４号公報
【発明の開示】
【発明が解決しようとする課題】
【０００７】
ところで、このような特許文献１記載の遊技場の情報提供システムにおいて、表示部を大画面にするとともに、遊技情報の非表示時に、広告などの所定の映像コンテンツを表示するようにして、遊技場内の多くの遊技客を楽しませたいという要望があった。
しかしながら、この特許文献１記載の遊技場の情報提供システムにあっては、その表示部を単に大画面化すると、情報提供を受ける利用者が表示部から遊技情報を取得するときは、表示部の表示画面に近づいて所定の操作を行なうので、操作する利用者の視野に表示部全体が入りにくくなるおそれがあった。
そのため、利用者は、表示部に表示される遊技情報を視認しにくくなり、遊技情報を取得しにくくなってしまうおそれがあった。
【０００８】
特に、表示部がタッチパネルであるときには、利用者は、表示部の画面を直接手などでタッチパネルに触れることにより操作しなければならず、表示部の画面に近づかなければならない。
そのため、利用者は、表示画面のうち視野に入らない部分を視認するため、画面全体が視野に入るように後ろに下がったり、視野外の部分に視野を移動するため、首を大きく傾けたりし、所望の遊技情報のある部位を視認するようにしなければならず煩雑になっていた。
【０００９】
また、このような情報提供システムにあっては、タッチパネルを操作する利用者がいる場合、この利用者が操作を独占することになり、他の利用者は操作することができなかった。
そのため、このような情報提供システムは、複数の利用者に対応しにくいので、利用者の遊技情報の取得を難しくしていた。
このように、大きな画面を有しているにもかかわらず、その大きさを有効に利用するものでなかった。
【００１０】
本発明は、以上のような従来の技術が有する問題を解決するために提案されたものであり、大きな表示画面であっても、利用者の視野に所望の遊技情報が入りやすくなるようにするとともに、少なくとも一つの表示画面で複数の利用者が遊技情報を得ることができるようにして、遊技情報を取得しやすくするとともに遊技場内のスペースを有効活用できるようにし、また、遊技データ以外のその他の遊技情報も取得できるようにした遊技場の情報提供システムの提供を目的とする。
【課題を解決するための手段】
【００１１】
上記目的を達成するための情報提供システムは、遊技台に関する遊技情報を含む所定の情報を提供可能な遊技場の情報提供システムであって、表示画面を有し、該表示画面に表示された所定の情報の表示内容を、操作に応じて変更可能なタッチパネルと、前記表示画面を複数の区画領域に区画表示するとともに、前記表示画面の全体に前記所定の情報を表示した表示態様と、前記区画領域毎に前記所定の情報を表示した表示態様とに切り替えて表示する表示制御手段と、情報提供を受ける利用者を前記各区画領域単位で検知可能な利用者検知手段と、を備え、前記表示制御手段が、前記利用者検知手段の検知に基づいて、検知した利用者に対応する区画領域に、前記所定の情報を表示させる区画領域制御手段を備える構成としている。
【発明の効果】
【００１２】
以上のように、本発明の情報提供システムによれば、大きな表示画面であっても、利用者の視野に所望の遊技情報が入りやすくすることができるとともに、少なくとも一つの表示画面で複数の利用者が遊技情報を得ることができ、遊技情報を取得しやすくするとともに遊技場内のスペースを有効活用することができる。
また、遊技データ以外のその他の遊技情報も取得することができる。
【発明を実施するための最良の形態】
【００１３】
以下、本発明に係る情報提供システムの好ましい実施形態について、図を参照しつつ説明する。
［第一実施形態］
本発明の第一実施形態にかかる情報提供システムは、遊技場に設置された遊技台に関する遊技情報を含む所定の情報を提供するものである。
図１及び図２には、本実施形態に係る情報提供システムの概略構成図を示している。
図３及び図４には、本実施形態に係る情報提供システムのタッチパネルを示している。
図５〜図８には、本実施形態に係る情報提供システムのタッチパネルにおいて、第一の区画領域を示している。
【００１４】
これらの図に示すように、情報提供システムＳ１は、遊技場内に設置された遊技台５０において、各遊技台５０のスタート回数や大当たり回数などの遊技データ、新台情報、他店舗情報など、種々の情報を提供するものである。
この情報提供システムＳ１は、表示画面１０を有し、表示画面１０に表示された所定の情報の表示内容を、操作に応じて変更可能なタッチパネル１と、表示画面１０を複数の区画領域１１、１２に区画表示するとともに、表示画面１０の全体に所定の情報を表示した表示態様と、区画領域１１、１２毎に所定の情報を表示した表示態様とに切り替えて表示する表示制御部２とを備えている。
【００１５】
タッチパネル１は、例えば、遊技場内の客に所定の情報を提供可能に遊技場内の壁面などに設置されている。
タッチパネル１は、各区画領域１１、１２がタッチ操作されることにより、所定の信号を表示制御部２に出力するとともに、表示制御部２のこの信号に基づく所定の動作により、表示画面１０に表示された所定の情報の表示内容を変更する。
【００１６】
表示制御部２は、例えば、図示しないＣＰＵ、ＲＡＭ及びＨＤＤなどを備える計算機で構成されている。
表示制御部２は、表示画面１０を複数の区画領域１１、１２に区画表示するとともに、タッチパネル１の表示を、表示画面１０の全体に所定の情報を表示した表示態様と、区画領域１１、１２毎に所定の情報を表示した表示態様とに切り替えて表示可能としている。
また、表示制御部２は、情報提供を受ける利用者Ｐ１，Ｐ２を区画領域１１、１２単位で検知可能な利用者検知部２２を備えている。
利用者検知部２２は、タッチパネル１の操作の有無により利用者Ｐ１、Ｐ２を検知するもので、タッチパネル１からの操作信号が入力されたときに利用者有りを検知する。
【００１７】
また、表示制御部２は、ＲＡＭやＨＤＤなどにより構成された情報記憶部２０を備えている。
情報記憶部２０は、例えば、遊技台設置情報２００、映像コンテンツ情報２０１、後述の遊技データのデータベース２０２及び撮像映像情報２０３などを記憶している。
遊技台設置情報２００は、図９（ａ）及び図９（ｂ）に示すように、各遊技台５０を識別可能な遊技台識別情報２０００と、遊技場内の遊技台の設置レイアウト６１となどを含む。
【００１８】
また、遊技台識別情報２０００は、各遊技機５０のＩＤ、機種名、遊技台５０の位置情報として、設置レイアウト６１上の座標データ、島の位置などを含んでおり、区画領域１１、１２に、遊技台５０の一覧表として表示されることにより、遊技台５０を特定可能な情報である。
また、遊技台設置情報の設置レイアウト６１は、表示制御部２により、表示画面１０に表示可能になっている。さらに、設置レイアウト６１には、例えば、後述の監視カメラ４０の設置位置も含まれている（図１０参照）。
同様に、遊技台設置情報２００にも、監視カメラ４０の設置位置情報が含まれている。監視カメラ４０の設置位置情報は、設置レイアウト６１上の座標データ及び各監視カメラ４０のＩＤなどを含む。
【００１９】
映像コンテンツ情報２０１は、新規に導入されるいわゆる新台の情報や、この新台に入れ替えての遊技場のオープン日時、系列店等のコマーシャル情報などを含む。
遊技データのデータベース２０２は、図９（ｃ）に示すように、各遊技情報５０の遊技データを含み、後述の遊技場管理装置３により更新される。
撮像映像情報２０３は、後述の監視カメラ４０により撮像された遊技台の映像が、遊技情報として一次的に記憶される。
【００２０】
また、表示制御部２は、区画領域１１、１２に表示された遊技台５０の設置レイアウト６１から、タッチパネル１の操作により特定の遊技台５０を選択する遊技台選択部２３を備えている。
遊技台選択部２３は、タッチパネル１の区画領域１１、１２に表示された設置レイアウト６１中の遊技台５０がタッチ操作されると、遊技台識別情報２０００を参照し、タッチ操作のタッチ位置に対応する座標データの遊技台５０を選択するとともに、この遊技台５０のＩＤを遊技台選択情報として出力する。
【００２１】
また、表示制御部２は、利用者検知部２２の検知に基づいて、検知した利用者Ｐ１、Ｐ２に対応する区画領域１１、１２に、遊技情報６２ａ〜６２ｄを表示させる区画領域制御部２１を備えている。
区画領域制御部２１は、情報記憶部２０から遊技台設置情報２００を読み込むとともに、遊技台設置情報２００に基づいて、区画領域１１、１２に、遊技場内の遊技台５０の設置レイアウトのイメージ（６１）を表示させる（図４参照）。
また、区画領域制御部２１は、遊技台選択部２３で遊技台５０を選択したときに、選択された遊技台５０に対応する遊技情報６２ａ〜６２ｄを区画領域１１、１２に表示可能となっている。
すなわち、区画領域制御部２１は、遊技台選択部２３が遊技台５０を選択したときに出力される遊技台選択情報が入力されるとともに、この遊技台選択情報に対応する遊技情報６２ａ〜６２ｄを情報記憶部２０から読み込んで区画領域１１、１２に表示させる（図５〜図７参照）。
【００２２】
また、区画領域制御部２１は、区画領域１１、１２内に区画された二以上の子領域１１１〜１１４を形成する子領域制御部２１０を備えている。
子領域制御部２１０は、一の子領域１１１〜１１４に、遊技台設置情報である設置レイアウト６１又は遊技台選択部２３で選択された遊技台５０の遊技情報６２ａ〜６２ｄを表示させる（図５〜図７参照）。
【００２３】
本実施形態において、子領域制御部２１０は、区画領域１１、１２に、これを２×２の領域に区画してなる子領域（第一〜第四の子領域１１１〜１１４）を形成可能になっており、第一の子領域１１１には、遊技台の設置レイアウト６１が、第二〜第四の子領域１１２〜１１４には、遊技情報６２ａ〜６２ｄが表示させられる。
また、子領域制御部２１０は、最後に選択した遊技台５０の遊技情報６２ａ〜６２ｄが第二の子領域１１２に表示させられ、最後から二番目に選択された遊技台５０の遊技情報６２ａ〜６２ｄは、第三の子領域１１３に表示させられ、最後から三番目に選択された遊技台５０の遊技情報６２ａ〜６２ｄは、第四の子領域１１４に表示させられる。
すなわち、子領域制御部２１０は、第一の子領域１１１に表示された遊技台５０の設置レイアウト６１中の遊技台を選択するたびに、後位側の子領域に、当初の表示内容を移動させる（図５〜図７参照）。
【００２４】
また、子領域制御部２１０は、タッチパネル１の操作に基づいて、遊技情報６２ａ〜６２ｄが表示された子領域１１１〜１１４の表示位置を移動させる子領域位置移動部２１２を備えている（図８参照）。
本実施形態において子領域位置移動部は２１２、利用者が、手Ｈ１でいずれかの子領域（図８中では、子領域１１２）をタッチした状態で、その他の子領域（図８中では子領域１１３）側にドラッグすると、これらの表示内容６２ｂ、６２ｃを表示した子領域１１２、１１３同士の位置を入れ替える。
【００２５】
また、子領域制御部２１０は、子領域１１１〜１１４に、遊技台の設置レイアウト６１及び遊技情報６２ａ〜６２ｄが表示されたときに、空いているその他の子領域に、映像コンテンツ６０などの所定の情報を表示させる機能を備えている（図５等の第三及び第四の子領域１１３、１１４参照）。
また、区画領域制御部２１は、遊技情報６２ａ〜６２ｄとして後述の遊技台５０の画像６２１ａ〜６２１ｄ上に、遊技台５０の遊技データ６２０ａ〜６２０ｄを重ねて、第一及び第二の区画領域１１、１２に表示可能となっている（図５〜図８等参照）。
【００２６】
また、子領域制御部２１０は、子領域１１１に表示された遊技台の設置レイアウト６１中に、その他の子領域１１２〜１１４に表示中の遊技情報６２ａ〜６２ｄに対応する遊技台５０を識別可能な識別子７１ａ〜７１ｄを表示する識別子表示部２１１を備えている。
本実施形態において、識別子７１ａ〜７１ｄは、所定の色の円形、三角形及び四角形などで構成されている。
なお、識別子７１ａ〜７１ｄは、選択されているか否かを識別可能であれば、どのようなものであってもよく、例えば、単に選択した遊技台部分を、通常時の表示色とは異なる色で表示するようにしてもよい（図５〜図８等参照）。
【００２７】
また、識別子表示部２１１は、その他の子領域１１２〜１１４に表示された遊技情報６２ａ〜６２ｄに対応する遊技台に付された識別子と同じ形状の識別子７２ａ〜７２ｄを、子領域１１２〜１１４中（本実施形態においては、各子領域１１２〜１１４の右隅）に表示する機能を備えている。
このようにすると、情報提供システムＳ１は、利用者に、その他の子領域１１２〜１１４に表示された遊技情報６２ａ〜６２ｄが、どの位置の遊技台のものかを即座に識別させることができる（図５〜図８等参照）。
【００２８】
また、区画領域制御部２１は、利用者検知部２２が利用者Ｐ１、Ｐ２を検知した後に、この利用者Ｐ１、Ｐ２を検知しないときに、対応する区画領域１１、１２の表示内容を映像コンテンツ６０などの情報を表示した、初期表示状態にする機能を備えている。
また、表示制御部２は、利用者検知部２２が、利用者Ｐ１、Ｐ２を検知後に、所定の時間、各区画領域１１、１２に対応する利用者Ｐ１、Ｐ２を検知しないときに、表示画面１０全体の表示内容を、映像コンテンツ６０などの情報を表示した初期表示状態にする機能を備えている。
【００２９】
また、情報提供システムＳ１は、遊技台５０の遊技データを収集する遊技データ収集部を備えている。この遊技データ収集部は、例えば、遊技場に付設された事務所に設置された遊技場管理装置３で構成されている。
ここでいう遊技データ６２０ａ〜６２０ｄは、例えば、スタート回数や大当たり回数などの情報である。
遊技場管理装置３には、例えば、列設された遊技台５０の各島５に設けられ、それぞれの島５の各遊技台５０の遊技データを収集する島管理部５１が接続されている。
【００３０】
島管理部５１は、各島管理部５１に接続された遊技台５０の遊技データを収集するとともに、この収集した遊技データを遊技場管理装置３に出力する。
遊技場管理装置３は、これらの各遊技台５０の遊技データを遊技台識別ＩＤとともにデータテーブル化したデータベース２０２を作成して表示制御部２の情報記憶部２０に記憶させる（図９（ｃ））。
また、情報記憶部２０に記憶された遊技データのデータベース２０２は、区画領域制御部２１により参照され、遊技台選択情報（遊技台のＩＤ）に対応する遊技データが取り出されている。
【００３１】
また、情報提供システムＳ１は、図２に示すように、遊技場の各遊技台５０を撮像する遊技台撮像部を備えている。
本実施形態の遊技台撮像部は、例えば、監視カメラ４０で構成されている。
監視カメラ４０は、撮像した各遊技台５０の撮像映像を、遊技情報として表示制御部２に出力する。
【００３２】
監視カメラ４０は、例えば、図１０に示すように、遊技場内に複数個所設けられている。
また、監視カメラ４０は、パン、ティルト、ズーム、フォーカスを行なうことにより、一つの監視カメラ４０で、複数台の遊技台５０をそれぞれ撮像可能になっている。
【００３３】
また、監視カメラ４０は、その動作の制御がなされる監視装置４に接続されている。
監視装置４は、遊技台選択部２３が出力した遊技台選択情報を表示制御部２側から受信すると、遊技台選択情報に対応する遊技台５０を、この遊技台５０に最も近い監視カメラ４０に撮像させる。
そして、監視装置４は、監視カメラ４０が撮像した遊技台５０の映像を、遊技情報６２ａ〜６２ｄの一部として表示制御部２側に出力される。
【００３４】
この遊技台５０の映像６２１ａ〜６２１ｄは、例えば、表示制御部２に入力されると、ストリーミングデータである撮像映像情報２０３として情報記憶部２０に記憶させられる。
そして、撮像映像情報２０３は、区画領域制御部２１で読み込まれるとともに、遊技台５０の映像６２１ａ〜６２１ｄとして区画領域１１、１２の所定の子領域１１２〜１１４に表示させられる（例えば、図４〜図７参照）。
【００３５】
また、監視装置４は、タッチパネル１の操作に基づいて監視カメラ４０の被撮像位置を制御する撮像位置制御部としても機能する。
この監視装置４は、例えば、子領域制御部２１０が各子領域１１２〜１１４に表示する撮像位置調整ボタン７３のタッチ操作により、被撮像位置の制御を行なう。
子領域制御部２１０は、撮像位置調整ボタン７３がタッチ操作されると、対応する子領域１１２〜１１４に、設置レイアウト６１を読み込んで、例えば、図１０に示すような監視カメラ４０と遊技台５０との位置関係を認識可能な選択ウィンドウを子領域１１２〜１１４に表示する。
【００３６】
表示された選択ウィンドウにおいて、利用したい特定の監視カメラ４０がタッチ操作されると、遊技台選択部２３が、監視カメラ４０設置位置情報を参照して監視カメラ４０のＩＤを選択情報として監視装置４側に出力する。
また、表示された選択ウィンドウにおいて、映像が見たい遊技台５０がタッチ操作されると、遊技台選択部２３が、この遊技台５０に対応する遊技台選択情報を監視装置４側に出力する。
監視装置４は、監視カメラ４０の選択情報及び遊技台選択情報が入力されると、対応する監視カメラ４０に、選択された遊技台５０を撮像させ、この撮像映像を情報記憶部２０に記憶させて子領域１１２〜１１４に表示させる。
【００３７】
また、子領域制御部２１０は、図示しないその他の撮像位置調整ボタンがタッチ操作されると、子領域１１１〜１１４に表示された映像６２１ａ〜６２１ｄを撮像する監視カメラ４０の被撮像位置を制御する制御ウィンドウを子領域１１２〜１１４に表示する。
制御ウィンドウには、パン、ティルト、ズーム、フォーカスなどを行なわせる所定の操作ボタンが備えられている。
そして、表示制御部２は、利用者Ｐ１、Ｐ２により制御ウィンドウの操作ボタンがタッチ操作されると、各操作ボタンに応じて出力された信号を監視装置４側に出力する。
監視装置４は、この信号に基づいて、選択された特定の監視カメラ４０に、パン、ティルト、ズーム、フォーカスなどを行なって被撮像位置を制御する。
【００３８】
このようにすると、利用者Ｐ１、Ｐ２が、所定の操作を行なうことにより、監視カメラ４０の被撮像位置を制御することができる。
そのため、利用者Ｐ１、Ｐ２は、自らの意思でカメラの被撮像位置を自在に変更することができる。そのため、情報提供システムＳ１は、例えば、既撮像範囲の一部を拡大した映像や、島全体の様子を撮像した映像などを提供することができる。
また、利用者Ｐ１、Ｐ２が、他の監視カメラ４０を指定して遊技台５０を撮像することにより、元の監視カメラ４０では、映像内に映りこんだ遊技客などで撮像できない部分も、映像化することができる。
これにより、情報提供システムＳ１は、利用者Ｐ１、Ｐ２に、所望の遊技台の映像６２１ａ〜６２１ｄを、取得させやすくすることができる。
【００３９】
また、監視装置４は、遊技台毎に備えられ、監視カメラ４０による遊技台の撮像の許可及び不許可を選択可能な撮像動作選択スイッチ４１に応じて、監視カメラ４０の制御を行なう（図２参照）。
本実施形態においては、撮像動作選択スイッチ４１による撮像の許可又は不許可の信号は、遊技場管理装置３を介して監視装置４に送られる。撮像動作選択スイッチ４１が、撮像を不許可とした場合には、監視装置４は、監視カメラ４０で撮像された画像は標示制御部２側への出力を行なわない。
この場合には、区画領域制御部２１０は、監視カメラ４０で撮像された映像の代わりに、遊技台５０に対応する所定の映像を、映像コンテンツ情報２０１から読み込んで区画領域１１、１２の子領域１１１〜１１４に表示させる。区画領域制御部２１０は、この遊技台５０に対応する所定の映像として、例えば、遊技台５０の演出効果がわかるように、予め撮像されて編集された遊技台５０の正面の映像などが用いることもできる（図５等の映像６２１ａ参照）。
【００４０】
このようにすると、遊技台の遊技者は、遊技者自身の意思で、遊技台５０での遊技の様子をタッチパネル１に表示できるようにするか否かを選択することができるので、利用者が、勝手に、その遊技の様子をタッチパネル１に表示させてしまう事態が防止される。
これにより、遊技者が、不用意に遊技場内の不特定多数の人の目にさらされる事態を防止することができ、タッチパネル１に表示されて注目を浴びることにより、遊技者の不快感を生じさせてしまう事態を防止することができる。
【００４１】
また、情報提供システムＳ１は、利用者が、所望する遊技台５０の実際の映像の代わりに、映像コンテンツ情報２０１から予め編集された遊技台５０の映像を表示させることもできるので、遊技台５０の遊技者により監視カメラ４０の撮像画像のタッチパネル１への表示が不許可とされていても、利用者が、遊技台がどのような演出を行なうかを、事前に把握することができる。
【００４２】
また、監視装置４には、監視カメラ４０が撮像した遊技台５０の映像内において、遊技台５０の遊技者部分を除外する人物除外部５３を備えている。
人物除外部５３は、例えば、図１１に示すように、予め、基準となる各監視カメラ４０から撮像した各遊技台５０の画像６５を記憶しており、この基準の画像６５と実際に撮像した映像６６とを比較して、その差分を検出するとともに、この差分を実際に撮像した映像から除く。また、除かれた部分６６０は、基準となる画像６５から補う。
このようにすると、情報提供システムＳ１は、遊技情報として遊技台５０の映像から遊技者を除いた映像６２１ｂを提供することができる。
【００４３】
なお、監視装置４は、本実施形態において、遊技場内での不正行為の監視を行なう機能を備えている。
監視装置４は、例えば、遊技場管理装置３に接続されており、この遊技場管理装置３が、いずれかの遊技台５０において、パチンコ球の出玉や払い出したメダルの量などから不自然な遊技があったと判断したときに、監視カメラ４０に対応する遊技台５０を撮像させる。
【００４４】
このような構成からなる本実施形態の情報提供システムＳ１の動作（作用）を、図１２及び図１３に示す表示制御部２のフローチャートを参照しつつ説明する。
まず、システム管理者などにより、情報提供システムＳ１が起動させられると、表示制御部２は、各部の初期化をおこなう（Ｓ１−１）。
次に、表示制御部２は、まず、情報記憶部２０に記憶された映像コンテンツ情報２０１を読み込んで、映像コンテンツ６０を表示画面１０全体に表示する（Ｓ１−２、図３参照）。
【００４５】
また、例えば、遊技場内の遊技台５０が遊技客により遊技されると、遊技場管理装置３が、これらの遊技に基づく各遊技台５０の遊技データを、島管理部５１を介して収集していく。
そして、遊技場管理装置３が、収集した遊技データに基づいて、表示制御部２の情報記憶部２０に記憶された遊技データのデータベース２０２を作成、更新していく。
【００４６】
また、利用者Ｐ１が、例えば、タッチパネル１の第一の区画領域１１においてタッチ操作したときは、利用者検知部２２が、タッチ操作に基づいて利用者有りを検知する（Ｓ１−３）。
また、表示制御部２が、利用者検知部２２による利用者有りの検知に基づいて、表示画面１０全体の映像コンテンツ６０の全体表示をやめる。
また、区画領域制御部２１は、情報記憶部２０から遊技台設置情報２００を読み込むとともに、この遊技台設置情報２００に基づいてこのタッチ操作があった第一の区画領域１１に、遊技台５０の設置レイアウト６１を表示させる。また、区画領域制御部２１は、まだタッチ操作がない第二の区画領域１２に、映像コンテンツ６０を表示させる（Ｓ２−１、図４参照）。
【００４７】
次に、利用者Ｐ１が、第一の区画領域１１に表示された設置レイアウト６１中の遊技台の部分（７０ａ）をタッチ操作すると（Ｓ２−２Ｙｅｓ、図４）、遊技台選択部２３が、遊技台識別情報を参照し（図９（ａ）参照）、この遊技台に対応する遊技台選択情報を監視装置４及び区画領域制御部２１に出力する。
監視装置４は、遊技台選択情報が入力されると、遊技場管理装置３を参照し、遊技台選択情報に対応する遊技台の撮像動作選択スイッチ４１が、撮像の許可・不許可のどちらであるかを問い合わせる。
対応する遊技台５０の撮像動作選択スイッチ４１が、不許可を選択しているときは、監視装置４は、撮像を不許可とする旨の所定の信号を表示制御部２側に出力する。
【００４８】
子領域制御部２１０は、表示制御部２が、撮像不許可の信号を受信すると、第一の子領域１１１に、遊技台設置情報に基づく遊技場の遊技台の設置レイアウト６１を縮小表示する。
また、子領域制御部２１０は、この遊技台５０に対応する遊技台の動作映像を、映像コンテンツ情報２０１から読み込んで、遊技台５０の映像６２１ａとし、情報記憶部２０の遊技データのデータベース２０２から遊技台選択情報に対応した遊技台の遊技データ６２０ａを読み込む（Ｓ２−３）。
そして、子領域制御部２１０は、第二の子領域１１２に、遊技台の映像６２１ａ及びこの遊技台の遊技データ６２０ａを遊技情報６２ａとして表示する（Ｓ２−４、図５参照）。
【００４９】
次に、利用者Ｐ１が、設置レイアウト６１において、最初に選択した遊技台の部分とは別の遊技台の部分（７０ｂ）をタッチ操作すると（Ｓ２−５Ｎｏ、Ｓ２−２Ｙｅｓ）、上記と同様にして、監視装置４が、遊技場管理装置３に対し、遊技台選択情報に対応する撮像動作選択スイッチ４１の撮像の許可及び不許可を問い問い合わせる。
そして、撮像動作選択スイッチ４１が許可を選択しているときは、この遊技台選択情報に対応する遊技台５０を監視カメラ４０に撮像させるとともに、監視装置４の人物除外部５３において、監視カメラ４０で撮像された映像６６から、基準となる画像６５に基づいて人物部分の除外処理を行ない（図１１参照）、監視カメラ４０が撮像した遊技台５０の映像（６２１ｂ）を表示制御部２に出力する。
表示制御部２は、遊技台の映像６２１ｂが入力されると、これを撮像映像情報２０３として情報記憶部２０に記憶させる。
【００５０】
また、子領域制御部２１０は、第二の子領域１１２に表示済みの遊技情報６２ａを、第三の子領域１１３に移動する。
そして、子領域制御部２１０は、情報記憶部２０の撮像映像情報２０３及びデータベース２０２から遊技台選択情報に対応する映像６２１ｂ及び遊技データ６２０ｂを読み込むとともに、この撮像映像６２１ｂ及び遊技データ６２０ｂを含む遊技情報６２ｂを、空いた第二の子領域１１２に表示させる（Ｓ２−４、図６参照）。
【００５１】
次に、利用者Ｐ１が、設置レイアウト６１において、以前に選択した遊技台の部分とは別の遊技台の部分（７０ｃ）をタッチ操作すると（Ｓ２−５Ｎｏ、Ｓ２−２Ｙｅｓ）、子領域制御部２１０は、第二及び第三の子領域１１２、１１３に表示済みの遊技情報６２ａ、６２ｂを、それぞれ、第三及び第四の子領域１１３、１１４に移動する。
そして、子領域制御部２１０は、空いた第二の子領域１１２に、上記と同様にして、最後に選択した遊技台５０の撮像映像６２１ｃ及び遊技データ６２０ｃを含む遊技情報６２ｃを表示させる（Ｓ２−４、図７参照）。
【００５２】
第一の区画領域１１において、このような表示中に、第二の子領域１１２の表示内容と、第三の子領域１１３の表示内容とを入れ替えるときは、利用者Ｐ１は、手Ｈ１を第二の子領域１１２にタッチ操作した状態で第三の子領域１１３側に移動する（図８参照）。
このような操作が有ると、子領域位置移動部２１２は、これを検知し（Ｓ２−７）、第二の子領域１１２の表示内容と、第三の表示内容１１３とを入れ替える（Ｓ２−８）。
【００５３】
また、利用者Ｐ２が第二の区画領域１２がタッチ操作されると、区画領域制御部２１は、第一の区画領域１１と同様にして、この第二の区画領域１２に遊技台の設置レイアウト６１を表示させる（図１４参照）。
そして、利用者Ｐ１の場合と同様に、第二の区画領域１２においても、利用者Ｐ２がタッチパネル１をタッチ操作することにより（Ｓ２−５Ｎｏ、Ｓ２−２Ｙｅｓ）、子領域制御部２１０が、第一の子領域１１１に、遊技台の設置レイアウト６１を表示させ、第二〜第四の子領域１１２〜１１４に遊技情報６２ｄを表示させる（Ｓ２−４、図１５参照）。
【００５４】
また、利用者Ｐ１が、タッチパネル１から離れ、タッチパネル１の第一の区画領域１１側が所定時間、タッチ操作されなくなると（Ｓ２−５Ｙｅｓ）、区画領域制御部２１は、第一の区画領域１１に映像コンテンツ６０を表示させる（Ｓ２−６、図１６参照）。
また、利用者Ｐ２が、タッチパネル１から離れ、タッチパネル１の第二の区画領域１２側が所定時間タッチ操作されなくなると、タッチパネル１全体の操作がないので（Ｓ１−３Ｎｏ）、表示画面１０全体に映像コンテンツを表示する（Ｓ１−２）。
【００５５】
以上説明したように、本発明の第一実施形態に係る情報提供システムＳ１によれば、タッチパネル１が、複数（二つ）の区画領域１１、１２を有し、利用者検知部２２の検知に基づいて、区画領域制御部２１が、検知した利用者Ｐ１、Ｐ２に対応する区画領域１１、１２に、遊技情報６２ａ〜６２ｄを表示させるので、遊技情報６２ａ〜６２ｄが、タッチパネル１の表示画面１０の一部である区画領域１１、１２に表示されるようにすることができ、利用者Ｐ１、Ｐ２の視野に遊技情報６２ａ〜６２ｄを入りやすくすることができる。
そのため、情報提供システムＳ１は、従来の表示に比較して、利用者Ｐ１、Ｐ２に、後方に下がったり、首を大きく傾けたりさせることなく所望の遊技情報６２ａ〜６２ｄを視認させることができる。
【００５６】
また、区画領域制御部２１が、複数の区画領域１１、１２にそれぞれ遊技情報６２ａ〜６２ｄを表示可能なので、タッチパネル１の表示画面１０が大画面化しても、一人の利用者に対して、一つの表示画面１０を占有させることなく、複数の利用者に遊技情報６２ａ〜６２ｄを提供できる。
また、情報提供システムＳ１は、一つのタッチパネル１で複数の利用者Ｐ１、Ｐ２に対応可能なので、遊技場内のスペースも有効に活用することができる。
【００５７】
また、タッチパネル１は、その操作により、区画領域１１、１２に表示される遊技情報の表示内容を変更可能なので、所望の遊技情報６２ａ〜６２ｄを区画領域１１、１２に表示させることができる。
これにより、利用者Ｐ１、Ｐ２が、所望の遊技情報６２ａ〜６２ｄを取得させやすくすることができる。
【００５８】
また、利用者検知部２２が、タッチパネル１の操作の有無により利用者Ｐ１、Ｐ２を検知するので、利用者Ｐ１、Ｐ２が、遊技情報６２ａ〜６２ｄの提供を受けようとする場合に限り、遊技情報６２ａ〜６２ｄを取得させることができる。
また、情報提供システムＳ１は、タッチパネル１の操作が無いとき、その他の情報（映像コンテンツ６０など）を表示させておくことができ、例えば、遊技情報６２ａ〜６２ｄ以外のコマーシャル、他店舗情報などを表示することにより、遊技情報６２ａ〜６２ｄの取得が不要なその他の遊技客にも、種々の情報を提供することができる。これにより、情報提供システムＳ１は、このような遊技情報６２ａ〜６２ｄの取得が不要な遊技客も楽しませることもできる。
【００５９】
また、情報提供システムＳ１は、表示画面１０と操作部が一体となったタッチパネル１を用ているので、利用客Ｐ１、Ｐ２は、画面表示された情報を視認させながら操作することができる。
【００６０】
また、情報提供システムＳ１は、区画領域制御部２１が、遊技台設置情報２００をタッチパネル１の区画領域１１、１２に表示させるので、利用者Ｐ１、Ｐ２に遊技場内にどの種の遊技台５０があるかを認識させることができる。
さらに、遊技台５０の設置レイアウト６１も表示するので、遊技場内の遊技台５０がどのように設置されているかを利用者に認識させることもできる。
【００６１】
また、区画領域制御部２１が、区画領域１１、１２に表示された遊技台設置情報２００を利用者Ｐ１、Ｐ２に参照させつつ、遊技台選択部２３が、タッチパネル１のタッチ操作に応じて遊技台を選択し、区画領域制御部２１が、選択された遊技台に対応する遊技情報６２ａ〜６２ｄを区画領域に表示するので、利用者Ｐ１、Ｐ２が容易に所望の遊技台５０の遊技情報６２ａ〜６２ｄを取得することができる。
【００６２】
また、子領域制御部２１０が、区画領域１１、１２内に二以上の子領域１１１〜１１４を形成するとともに、遊技台選択部２３で選択された二以上の遊技台の遊技情報６２ａ〜６２ｄを、それぞれ異なる子領域１１１〜１１４に表示させるので、利用者Ｐ１、Ｐ２は、一つの区画領域１１、１２中に複数の遊技情報６２ａ〜６２ｄを一度に視認することができる。
これにより、情報提供システムＳ１は、これらの遊技情報６２ａ〜６２ｄを比較して見やすくすることができ、利用者に対し遊技台の選択を容易に行なわせることができる。
【００６３】
また、子領域制御２１０が、第一の子領域１１１に遊技台設置情報２００に基づく配置レイアウト６１を表示させ、第二〜第四の子領域１１２〜１１４に遊技情報６２ａ〜６２ｄを表示させるので、利用者Ｐ１、Ｐ２は、第一の子領域１１１に表示された遊技台設置情報から選択することにより、次に見たい遊技台５０の遊技情報６２ａ〜６２ｄを第二〜第四の子領域１１２〜１１４に表示させることができる。これにより、情報提供システムＳ１は、利用者Ｐ１、Ｐ２が別の遊技情報６２ａ〜６２ｄを見たいときに、利用者Ｐ１、Ｐ２に、逐一、遊技台の設置レイアウト６１を区画領域１１、１２に表示させる操作を行なわなわせることなく、所望の遊技情報６２ａ〜６２ｄを子領域１１２〜１１４に表示させることができる。
【００６４】
また、識別子表示部２１１が、第一の子領域１１１に表示された設置レイアウト６１に識別子７１ａ〜７１ｄを表示するので、現在選択して子領域１１２〜１１４に表示させている遊技情報６２ａ〜６２ｄが、どの遊技台の遊技情報６２ａ〜６２ｄであるかを容易に識別できるようになる。
これにより、情報提供システムＳ１は、利用者Ｐ１、Ｐ２が、設置レイアウト６１から現在表示中の遊技台の選択を防止できる。
【００６５】
子領域位置移動部２１２が、タッチパネル１の操作に基づいて、子領域１１１〜１１３に表示された遊技情報６２ａ〜６２ｄの表示位置を移動させるので、利用者Ｐ１、Ｐ２が、遊技台の遊技情報６２ａ〜６２ｄを、見やすい位置に表示させることができる。
また、情報提供システムＳ１が、遊技場管理装置３（遊技データ収集部）を備えているので、区画領域制御部２１が、遊技場管理装置３が収集する遊技台の遊技データ６２０ａ〜６２０ｄを、遊技情報６２ａ〜６２ｄの一部として区画領域１１、１２に表示させることができる。
【００６６】
また、情報提供システムＳ１が、監視カメラ４０（遊技台撮像部）を備えているので、区画領域制御部２１が、監視カメラ４０が撮像した遊技台の映像６２１ａ〜６２１ｄ（画像）を遊技情報６２ａ〜６２ｄの一部として区画領域１１、１２に表示させることができる。
このようにすると、遊技客Ｐ１、Ｐ２は、タッチパネル１のある位置で、遊技台５０の遊技台の映像６２１ａ〜６２１ｄ（画像）を見ることができるので、遊技台５０の選択などのために、情報提供システムＳ１は、遊技場内を移動することなく所望の遊技台５０の遊技情報６２ａ〜６２ｄを視認させることができる。
【００６７】
また、情報提供システムＳ１は、利用者Ｐ１、Ｐ２が、遊技台５０の設置場所に行くことなく遊技情報６２ａ〜６２ｄを視認させることができるので、既に遊技台５０を遊技している遊技客などの邪魔になりにくくすることができる。
また、特に、近年の遊技台５０は、遊技客５０を楽しませるため凝った演出のものが多いことから、演出を試しに見てみたい遊技客も多いが、タッチパネル１の利用者Ｐ１、Ｐ２は、他の人が遊技している遊技台５０を直接視認することなく、監視カメラ２０の撮像映像を介して演出効果を見ることができる。
そのため、情報提供システムＳ１は、利用者Ｐ１、Ｐ２に、監視カメラ４０を介して遊技台５０を見させているので、その遊技台５０で遊技中の遊技客は、他人の視線を感じずに遊技をおこなうことができる。これにより、情報提供システムＳ１は、遊技台５０の遊技客に、不快感を感じさせることなく、遊技させることができる。
【００６８】
また、子領域制御部２１１が、各子領域１１１〜１１４に、遊技情報６２ａ〜６２ｄとして、遊技台の映像６２１ａ〜６２１ｄと重ねて遊技データ６２０ａ〜６２０ｄを表示させるので、映像６２１ａ〜６２１ｄ及び遊技データ６２０ａ〜６２０ｄの双方を一度に見ることができる。
これにより、情報提供システムＳ１は、利用者Ｐ１、Ｐ２に、遊技台５０で遊技する状態を想像させやすくすることができる。
【００６９】
また、区画領域制御部２１が、利用者検知部２２により利用者有りを検知し、その後、利用者無しを検知したときに、対応する区画領域１１、１２の表示内容を利用者Ｐ１、Ｐ２による利用前の状態に戻すので、例えば、遊技場のスタッフが所定の操作を行なうことなく、映像コンテンツ６０などを区画領域１１、１２に表示させることができる。
このようにすると、情報提供システムＳ１は、遊技情報６２ａ〜６２ｄの提供をうける利用者Ｐ１、Ｐ２がいなくなったときに、映像コンテンツ６０などを自動的に表示させることができる。
これにより、利用者Ｐ１、Ｐ２がいないときに、情報提供システムＳ１は、遊技者に、例えば、新規な遊技台の情報の提供や、宣伝広告などを行なうことができ、情報の提供を、効率よく行なうことができる。
【００７０】
［第二実施形態］
次に、本発明の第二実施形態にかかる情報提供システムについて、図１７を参照しつつ説明する。
図１７には、本実施形態に係る情報提供システムの表示パネルを、利用者とともに示す図である。
本実施形態に係る情報提供システムＳ２は、タッチパネル１ａが、表示面に対する利用者の視線の角度に応じて、異なる映像を表示可能な点で上記第一実施形態と異なる。
【００７１】
図１８には、タッチパネルの一部概略断面図を示している。
このタッチパネル１ａは、いわゆるデュアルビュー（登録商標）液晶などといわれるもので、例えば、視差バリア１０２と、視差バリア１０２の背面側に位置する画素パネル１００と、画素パネル１００の背面側に位置するバックライト１０３とを備えている。
視差バリア１０２は、所定間隔で形成される多数の透過部を備えており、表示画面１０を見る人は、この透過部を介して画素パネル１００側からの光を受ける。
【００７２】
画素パネル１００は、視差バリア１０２の透過部から見ることができる画素のうち、左側の人専用の画素１０１Ｌと、右側の人専用の画素１０１Ｒがある。画素１０１Ｌは、視差バリア１０２で遮られることにより、右側の利用者Ｐ２から視認不能である。また、これとは逆に、画素１０１Ｒは、視差バリア１０２で遮られることにより、左側の利用者Ｐ１から視認不能である。
表示制御部２ａは、タッチパネル１ａに、画素１０１Ｌに用いる左側用画面表示のイメージデータと、画素１０１Ｒに用いる右側用画面表示のイメージデータとを出力する。
このようにすると、情報提供システムＳ２は、左側の利用者Ｐ１が取得する表示画像１０ａと、利用者Ｐ２が取得する表示画像１０ｂとを異ならせることができる。
【００７３】
このような構成からなる本実施形態の情報提供システムＳ２の動作（作用）を、本実施形態の表示制御部２ａのフローチャート（図１９）を参照しつつ説明する。
まず、システム管理者などにより、情報提供システムＳ２が稼動させられると、表示制御部２ａは、各部の初期化を行ない、情報記憶部２０に記憶された映像コンテンツ情報を読み込むとともに、この映像コンテンツを適用して左側用及び右側用の双方の画面表示のイメージデータを生成し、これらをタッチパネル１ａに出力する（Ｓ３−１、図３参照）。
タッチパネル１ａは、入力された画面表示のイメージデータに基づいて、表示制御部２ａは、両方の画面表示のイメージデータを、表示画面１０全体が映像コンテンツのものとし、タッチパネル１ａに向かって右側及び左側に位置する遊技客に同じ表示画像１０ａ、１０ｂを取得させる。
【００７４】
次に、表示画面１０の左半分の操作があったときは（Ｓ３−３Ｙｅｓ）、表示制御部２ａは、区画領域制御部２１に、情報記憶部２０から遊技台設置情報を読み込ませ、第一の区画領域１１に、遊技台の設置レイアウトを表示させ、第二の区画領域１２に映像コンテンツを表示させてなる左側用画面表示のイメージデータを生成する（Ｓ３−４）。
そして、タッチパネル１ａは、画素１０１Ｌに、左側用画面表示のイメージデータに基づく発色を行なわせることにより、左側の利用者Ｐ１に、所定の表示画像１０ａを取得させる（図１８、図４の表示画面参照）。
なお、この状態において、表示画面１０の右半分の操作がないときは（Ｓ３−５Ｎｏ）、表示画面１０に向かって右側の人は、全体が映像コンテンツの表示画像１０ｂが視認できるようになっている（Ｓ３−７、図１８及び図３の表示画面参照）。
【００７５】
さらに、利用者Ｐ１により表示画面１０の左半分の操作があるとき、この操作に応じて上記第一実施形態と同様に、区画領域制御部２１は、第一の区画領域１２の子領域に遊技情報を表示した左側用画面表示のイメージデータを生成させてタッチパネル１ａに出力する（Ｓ３−３Ｙｅｓ）。そして、タッチパネル１ａは、その画素１０１Ｌに、この左側用画面表示のイメージデータに基づく発色を行なわせて、左側の利用者Ｐ１に、所定の表示画像１０ａを取得させる（Ｓ３−４、図４〜図７の表示画面）。
【００７６】
一方、表示画面１０の右半分の操作があるとき（Ｓ３−５Ｙｅｓ）、表示制御部２ａは、区画領域制御部２１に、第一の区画領域１１に映像コンテンツを表示させ、第二の区画領域１２に遊技台の設置レイアウトを表示させてなる右側用画面表示のイメージデータを生成する（Ｓ３−８）。
そして、タッチパネル１ａは、画素１０１Ｒに、右側用画面表示のイメージデータに基づく発色を行なわせることにより、右側の利用者Ｐ２に、左側の利用者Ｐ１に取得させる表示画像１０ａとは異なる、所定の表示画像１０ｂを取得させる。
【００７７】
また、表示制御部２ａは、利用者Ｐ２により、さらなる表示画面１０の右半分の操作があったとき、上記と同様にして、区画領域制御部２１に、第二の区画領域１２の子領域に、遊技情報を表示した右側用画面表示のイメージデータを生成させてタッチパネル１ａに出力する（Ｓ３−５）。そして、タッチパネル１ａは、その画素１０１Ｒに、この右側用画面表示のイメージデータに基づく発色を行なわせて、右側の利用者Ｐ２に、所定の表示画像１０ｂを取得させる（Ｓ３−８、図１６の表示画面）。
【００７８】
また、この状態において、表示画面１０の左半分のタッチ操作がないときは（Ｓ３−３Ｎｏ）、表示画面に向かって左側の人は、映像コンテンツの表示画像１０ａが視認できるようになっている（Ｓ３−６、図３の表示画面参照）。
【００７９】
また、表示画面１０の左半分及び右半分の双方のタッチ操作がないときは（Ｓ３−３Ｎｏ、Ｓ３−５Ｎｏ）、表示制御部２ａは、両方の画面表示のイメージデータを、表示画面１０全体が映像コンテンツのものとし、タッチパネル１ａに向かって右側及び左側に位置する遊技客に同じ表示画像１０ａ、１０ｂを取得させる。
【００８０】
以上説明したように本実施形態の情報提供システムＳ２によれば、表示制御部２ａが、左右両側の画面表示のイメージデータを別々に生成するとともに、タッチパネル１ａが、これらのイメージデータに基づいて、表示画面１０に向かって左側の人に表示画像１０ａを取得させ、右側の人に表示画像１０ｂを取得させるので、左側の人及び右側の人に、それぞれ別々の表示画像１０ａ、１０ｂを取得させることができる。
【００８１】
これにより、情報提供システムＳ２は、タッチパネル１ａの利用者には、所望する遊技情報を、タッチパネル１ａの利用者がいない側の表示画面１０においては、各表示画像１０ａ、１０ｂに大画面の映像コンテンツ６０を含ませることができるので、この一つの表示画面１０を有効に利用して、効率的な情報の提供を行なうことができる。
【００８２】
また、情報提供システムＳ２は、表示画面１０の左側の利用者Ｐ１に対する表示画像１０ａにおいて、第一の区画領域に遊技情報を表示させ、第二の区画領域に映像コンテンツを表示させるとともに、表示画面１０の右側の利用者Ｐ２に対する表示画像１０ｂにおいて、第二の区画領域に遊技情報を表示させ、第一の区画領域に映像コンテンツを表示させることができる。
これにより、利用者がいる側の表示画像１０ａ、１０ｂには、利用者に対する所定の情報と、その他の遊技客に対する映像コンテンツとを表示した状態とすることができる。
【００８３】
すなわち、上記第一実施形態では、表示画面１０の左右両側において、利用者Ｐ１、Ｐ２がいると、映像コンテンツが表示されないことがあったが、これに比較して、本実施形態の情報提供システムＳ２は、両側に利用者がいる場合であっても、画面表示のイメージデータが左右で異なるため、左右両側の人に視認させる各表示画像１０ａ、１０ｂに映像コンテンツ６０を含ませることができるので、遊技情報と映像コンテンツの双方を提供することができる。
そのため、情報提供システムＳ２は、タッチ操作する利用者がいても、利用者以外の遊技客に、映像コンテンツを取得させることができるので、効率的に情報の提供を行なうことができる。
【００８４】
また、情報提供システムＳ２は、利用者Ｐ１、Ｐ２が各々位置する正面の区画領域に所望の遊技情報を表示させているので、この情報を利用者Ｐ１、Ｐ２の視野内に入りやすくすることができ、利用者Ｐ１、Ｐ２に、遊技情報を容易に取得せしめることができる。
【００８５】
以上、本発明の情報提供システムについて、好ましい実施形態を示して説明したが、本発明に係る情報提供システムは、上述した実施形態にのみ限定されるものではなく、本発明の範囲で種々の変更実施が可能であることは言うまでもない。
例えば、遊技台識別情報が遊技台設置情報に含まれるとともに、区画領域制御部が、この遊技台設置情報に基づく設置レイアウトイメージを、区画領域に表示させる構成としたが、これに限定されるものでなく、遊技台識別情報が、機種名及び通し番号など、単に、遊技台とその位置が特定できるようなものであればどのようなものであってもよい。
【００８６】
また、表示画面と操作部とが一体のタッチパネルを備える構成としたが、画面表示部が、液晶表示ディスプレイ、リアプロジェクタなどの表示装置で構成され、操作部が、押釦可能なボタンを備える構成とし、画面表示部と操作部とが別体である構成としてもよい。
また、利用者検知部が、操作手段の操作の有無により利用者を検知する構成としたが、これに限定されるものでなく、例えば、人を検知する検知センサを設け、この検知センサにより利用者を検知するようにしてもよく適宜設計変更して差支えない。
【図面の簡単な説明】
【００８７】
【図１】本発明の第一実施形態に係る情報提供システムの概略構成図である。
【図２】本発明の第一実施形態に係る情報提供システムを、遊技場管理装置及び監視装置とともに示す概略構成図である。
【図３】本発明の第一実施形態に係る情報提供システムのタッチパネルを、表示画面全体に映像コンテンツを表示した状態で示す図である。
【図４】本発明の第一実施形態に係る情報提供システムのタッチパネルを、第一の区画領域に設置レイアウトを、第二の区画領域に映像コンテンツをそれぞれ表示した状態で示す図である。
【図５】本発明の第一実施形態に係る情報提供システムのタッチパネルの第一の区画領域において、一つの遊技情報を表示した状態で示す図である。
【図６】本発明の第一実施形態に係る情報提供システムのタッチパネルの第一の区画領域において、二つの遊技情報を表示した状態で示す図である。
【図７】本発明の第一実施形態に係る情報提供システムのタッチパネルの第一の区画領域において、三つの遊技情報を表示した状態で示す図である。
【図８】本発明の第一実施形態に係る情報提供システムのタッチパネルの第一の区画領域において、タッチパネルを操作する手とともに示す図である。
【図９】本発明の第一実施形態に係る情報提供システムの情報記憶部に記憶される情報であって、（ａ）は、遊技台識別情報、（ｂ）は、設置レイアウト、（ｃ）は、遊技データのデータベースをそれぞれ示す図である。
【図１０】本発明の第一実施形態に係る情報提供システムにおいて、監視カメラの配置を示す図である。
【図１１】本発明の第一実施形態に係る情報提供システムにおいて、人物除外部の処理を示す図である。
【図１２】本発明の第一実施形態に係る情報提供システムの表示制御部のフローチャートを示す図である。
【図１３】本発明の第一実施形態に係る情報提供システムの区画領域制御部のフローチャートを示す図である。
【図１４】本発明の第一実施形態に係る情報提供システムのタッチパネルにおいて、第一の区画領域に三つの遊技情報を、第二の区画領域に設置レイアウトをそれぞれ表示した状態で示す図である。
【図１５】本発明の第一実施形態に係る情報提供システムのタッチパネルにおいて、第一の区画領域に三つの遊技情報を、第二の区画領域に設置レイアウト、遊技情報及び映像コンテンツをそれぞれ表示した状態で示す図である。
【図１６】本発明の第一実施形態に係る情報提供システムのタッチパネルにおいて、第一の区画領域に映像コンテンツを、第二の区画領域に一つの遊技情報をそれぞれ表示した状態で示す図である。
【図１７】本発明の第二実施形態に係る情報提供システムを示す概略構成図である。
【図１８】本発明の第二実施形態に係る情報提供システムのタッチパネルの原理を示す図である。
【図１９】本発明の第二実施形態に係る情報提供システムのフローチャートを示す図である。
【符号の説明】
【００８８】
Ｓ１、Ｓ２  情報提供システム
Ｐ１、Ｐ２  利用者
１、１ａ  タッチパネル
１０  表示画面
１０ａ、１０ｂ  利用者が取得する表示画像
１１、１２  区画領域
１１１〜１１４  子領域
２、２ａ  表示制御部
２０  情報記憶部
２００  遊技台設置情報
２０１  映像コンテンツ情報
２０２  遊技データのデータベース
２０３  撮像映像情報
２１  区画領域制御部
２１０  子領域制御部
２１１  識別子表示部
２１２  子領域位置移動部
２２  利用者検知部
２３  遊技台選択部
３  遊技場管理装置
４  監視装置
４０  監視カメラ
４１  撮像動作選択スイッチ
５  島
５０  遊技台
５１  島管理部
５３  人物所外部
６０  映像コンテンツ
６１  設置レイアウト
６２ａ〜６２ｄ  遊技情報
６２０ａ〜６２０ｄ  遊技データ
６２１ａ〜６２１ｄ  遊技台の映像
６５  基準となる画像
６６  撮像映像
７１ａ〜７１ｄ  識別子
【図１】
0005435445.tif 000002
【図２】
0005435445.tif 000003
【図３】
0005435445.tif 000004
【図４】
0005435445.tif 000005
【図５】
0005435445.tif 000006
【図６】
0005435445.tif 000007
【図７】
0005435445.tif 000008
【図８】
0005435445.tif 000009
【図９】
0005435445.tif 000010
【図１０】
0005435445.tif 000011
【図１１】
0005435445.tif 000012
【図１２】
0005435445.tif 000013
【図１３】
0005435445.tif 000014
【図１４】
0005435445.tif 000015
【図１５】
0005435445.tif 000016
【図１６】
0005435445.tif 000017
【図１７】
0005435445.tif 000018
【図１８】
0005435445.tif 000019
【図１９】
0005435445.tif 000020